(57)【要約】【課題】取り付け状態においては外れにくく、かつバンドの交換等を行う際には専用の工具等を用いずに簡易にバンドを着脱することのできるバンドの取付構造及び時計を提供する。【解決手段】ケース１０のバンド取付孔１２の内部に断面形状が多角形状である異型孔部３３を設け、この異型孔部３３の断面形状と同様の断面形状に形成された異型軸部５４及び雄ネジ部５３が形成されたネジ部材５をバンド取付孔１２に挿通させ、ネジ部材５の雄ネジ部５３と嵌り合う雌ネジ部６１が形成されたナット部材６をネジ部材５の軸周りに回転させることにより、ネジ部材５をバンド２の幅方向に移動させ、ネジ部材５がバンド２のバンド側孔２２内に挿入されたバンド固定状態とネジ部材５がバンド２のバンド側孔２２内に挿入されていないバンド取外可能状態とを取り得るように構成した。【選択図】図１
2015123274.tif 000002
【特許請求の範囲】
【請求項１】
ケースにバンドを取り付けるバンドの取付構造であって、
対向する２つの脚部を有し、前記脚部の対向する面にそれぞれバンド取付孔が貫通して設けられたバンド取付部と、
前記バンドにおける前記ケースへの取り付け側端部に設けられ、前記２つの脚部の間に配置されるとともに、前記バンド取付孔と連通可能なバンド側孔が形成されたケース取付部と、
前記バンド取付孔の外側から前記バンドのケース取付部に向かって軸部が挿入され当該軸部の一部に雄ネジ部が形成されたネジ部材と、
内部の少なくとも一部に前記ネジ部材の雄ネジ部と嵌り合う雌ネジ部が形成され、外周面の少なくとも一部が外部に露出した操作部となっているナット部材と、
を備え、
前記バンド取付孔の内部の少なくとも一部は断面形状が多角形状である異型孔部となっており、前記ネジ部材の軸部のうち前記雄ネジ部よりもネジ頭寄りの少なくとも一部は前記異型孔部の断面形状と同様の断面形状に形成された異型軸部となっており、
前記ネジ部材及び前記ナット部材の両方又はいずれか一方によって前記バンドを前記バンド取付部に取り付けるバンド取付軸部が構成されていることを特徴とするバンドの取付構造。
【請求項２】
前記ナット部材の側端面には、ナット側係止部が設けられ、
前記脚部の内側面には、前記ナット側係止部と係止される脚部側係止部が設けられていることを特徴とする請求項１に記載のバンドの取付構造。
【請求項３】
前記ナット側係止部は凹部又は凸部であり、
脚部側係止部は、前記ナット側係止部と嵌り合う形状の凹部又は凸部であることを特徴とする請求項２に記載のバンドの取付構造。
【請求項４】
前記ナット部材は、前記バンドの側部に配置され前記操作部が設けられるフランジ部と、前記バンドの前記バンド側孔内部に挿入されるナット側挿入部と、を備えていることを特徴とする請求項１から請求項３のいずれか一項に記載のバンドの取付構造。
【請求項５】
前記ネジ部材及び前記ナット部材は、前記２つの脚部に対応して一対ずつ設けられ、
一対の前記ネジ部材の前記雄ネジ部は、互いに逆向きのネジが形成され、
前記２つの脚部のそれぞれのバンド取付孔に挿入された一対の前記ナット部材の前記ナット側挿入部は、互いに嵌り合う嵌合部において一体化されていることを特徴とする請求項４に記載のバンドの取付構造。
【請求項６】
前記ネジ部材は、前記２つの脚部に対応して一対ずつ設けられ、
一対の前記ネジ部材の前記雄ネジ部は、互いに逆向きのネジが形成され、
前記ナット部材は、一対の前記ネジ部材の双方の前記雄ネジ部が挿入可能である位置に１つ設けられていることを特徴とする請求項１に記載のバンドの取付構造。
【請求項７】
請求項１から請求項６のいずれか一項に記載のバンドの取付構造と、
ケースと、
前記ケースに取り付けられるバンドと、
を備えることを特徴とする時計。
【発明の詳細な説明】
【技術分野】
【０００１】
本発明は、バンドの取付構造及び時計に関するものである。
【背景技術】
【０００２】
従来、ケースにバンドを取り付ける構成として、バネ棒やビスを用いてバンドをケースに固定する構成が知られている。
例えば、特許文献１には、バネ棒によってバンドをケースのバンド取付部に取り付ける構成が開示されている。
バネ棒によってバンドをケースに取り付ける場合には、バンドの取付側に設けられているバネ棒を押し縮めて、バンド取付部に設けられた取付孔にバネ棒の両端部を挿入する。この場合、バネ棒はバネの反発力によって取付孔に固定され、ユーザが時計を使用している際に容易にバンドが外れないようにすることができる。
【先行技術文献】
【特許文献】
【０００３】
【特許文献１】特開２０１０−１１９５８６号公報
【発明の概要】
【発明が解決しようとする課題】
【０００４】
しかしながら、こうしたバネ棒やビスを用いてバンドを固定した場合には、バンドを着脱する際に専用の工具が必要となり、バンドを交換する際には専用の工具を購入するか、時計店等に時計を持ち込んでバンドの交換を依頼する必要がある。
このため、気軽にバンドを交換して、服装や季節等に応じたお洒落を楽しむといった使い方が難しく、時計をもっと自由に楽しみたいというユーザの要望に応えることができないという問題がある。
【０００５】
本発明は以上のような事情に鑑みてなされたものであり、取り付け状態においては外れにくく、かつバンドの交換等を行う際には専用の工具等を用いずに簡易にバンドを着脱することのできるバンドの取付構造及び時計を提供することを目的とするものである。
【課題を解決するための手段】
【０００６】
前記課題を解決するために、本発明に係るバンドの取付構造は、
ケースにバンドを取り付けるバンドの取付構造であって、
対向する２つの脚部を有し、前記脚部の対向する面にそれぞれバンド取付孔が貫通して設けられたバンド取付部と、
前記バンドにおける前記ケースへの取り付け側端部に設けられ、前記２つの脚部の間に配置されるとともに、前記バンド取付孔と連通可能なバンド側孔が形成されたケース取付部と、
前記バンド取付孔の外側から前記バンドのケース取付部に向かって軸部が挿入され当該軸部の一部に雄ネジ部が形成されたネジ部材と、
内部の少なくとも一部に前記ネジ部材の雄ネジ部と嵌り合う雌ネジ部が形成され、外周面の少なくとも一部が外部に露出した操作部となっているナット部材と、
を備え、
前記バンド取付孔の内部の少なくとも一部は断面形状が多角形状である異型孔部となっており、前記ネジ部材の軸部のうち前記雄ネジ部よりもネジ頭寄りの少なくとも一部は前記異型孔部の断面形状と同様の断面形状に形成された異型軸部となっており、
前記ネジ部材及び前記ナット部材の両方又はいずれか一方によって前記バンドを前記バンド取付部に取り付けるバンド取付軸部が構成されていることを特徴としている。
【０００７】
また、本発明に係る時計は、
請求項１から請求項６のいずれか一項に記載のバンドの取付構造と、
ケースと、
前記ケースに取り付けられるバンドと、
を備えることを特徴としている。
【発明の効果】
【０００８】
本発明によれば、取り付け状態においては外れにくく、かつバンドの交換等を行う際には専用の工具等を用いずに簡易にバンドを着脱することができるという効果を奏する。
【図面の簡単な説明】
【０００９】
【図１】第１の実施形態におけるバンドの取付構造が適用された時計の要部断面図である。
【図２】図１のバンドの取付構造を説明するための分解斜視図である。
【図３】図１のバンドの取り付け部分の要部拡大斜視図である。
【図４】図１のネジ部材及びナット部材を、その取り付け方向とともに示した側面図である。
【図５】（ａ）は、図４におけるａ-ａ線に沿うネジ部材の断面図であり、（ｂ）は、図４における矢視ｂ方向からナット部材を見た場合の平面図である。
【図６】第１の実施形態におけるバンドの取付構造の一変形例が適用された時計の要部断面図である。
【図７】第２の実施形態におけるバンドの取付構造が適用された時計の要部断面図である。
【図８】図７のネジ部材及びナット部材を、その取り付け方向とともに示した側面図である。
【図９】第３の実施形態におけるバンドの取付構造が適用された時計の要部断面図である。
【図１０】図９のバンドの取付構造を説明するための分解斜視図である。
【図１１】図９のネジ部材及びナット部材を、その取り付け方向とともに示した側面図である。
【図１２】（ａ）は、図１１におけるａ-ａ線に沿うネジ部材の断面図であり、（ｂ）は、図１１における矢視ｂ方向からナット部材を見た場合の平面図であり、（ｃ）は、図１１における矢視ｃ方向からナット部材を見た場合の平面図である。
【図１３】第４の実施形態におけるバンドの取付構造が適用された時計の要部断面図である。
【図１４】図１３のバンドの取付構造を説明するための分解斜視図である。
【図１５】図１３のネジ部材及びナット部材を、その取り付け方向とともに示した側面図である。
【図１６】（ａ）は、図１５におけるａ-ａ線に沿うネジ部材の断面図であり、（ｂ）は、図１５における矢視ｂ方向からナット部材を見た場合の平面図である。
【発明を実施するための形態】
【００１０】
［第１の実施形態］
先ず、図１から図５を参照しつつ、本発明に係るバンドの取付構造及び時計の第１の施形態について説明する。なお、以下に述べる実施形態には、本発明を実施するために技術的に好ましい種々の限定が付されているが、本発明の範囲を以下の実施形態及び図示例に限定するものではない。
【００１１】
図１は、本実施形態におけるバンドの取付構造が適用された時計の要部断面図である。
図１に示すように、時計１００は、ケース１０を備える時計本体１とこのケース１０に取り付けられるバンド２とを備えている。
【００１２】
本実施形態のケース１０は、ケース本体３と、このケース本体３に被せられる外装部材４とで構成されている。
ケース本体３及び外装部材４は、例えばポリアリレート樹脂やＡＢＳ樹脂等で形成されている。
なお、ケース本体３及び外装部材４を形成する材料は、ここに例示したものに限定されない。例えば、ケース本体３をステンレスやチタン等の金属材料で形成し、これに樹脂等で形成された外装部材４を被せてもよい。
また、ケース１０をケース本体３と外装部材４とで構成することは必須ではなく、例えば金属材料や樹脂材料等により一体的に構成してもよい。
【００１３】
図２は、バンドの取付構造を説明するための分解斜視図であり、図３は、バンドの取り付け部分の要部拡大斜視図である。なお、図２及び図３では、図示の都合上外装部材４の図示を省略している。
図１から図３に示すように、本実施形態におけるバンドの取付構造は、ケース１０に設けられたバンド取付部１３と、バンド２に設けられたケース取付部２１と、ネジ部材５と、ナット部材６と、を備えている。
【００１４】
ケース１０に設けられているバンド取付部１３は、対向する２つの脚部１１からなり、脚部１１の対向する面にそれぞれバンド取付孔１２が貫通して設けられている。
本実施形態では、脚部１１は、ケース本体３側に形成された本体側脚部３１と外装部材４側に形成された外装側脚部４１とで構成されている。
バンド取付孔１２は、ケース本体３側の本体側脚部３１に形成された本体側取付孔３２と外装部材４側の外装側脚部４１に形成された外装側取付孔４２とが一つながりに連通することで構成されている。
図１から図３に示すように、バンド取付孔１２の内部の少なくとも一部は断面形状が多角形状である異型孔部３３となっている。この異型孔部３３の断面形状は、後述するネジ部材５の異型軸部５４の断面形状と同様となっている。本実施形態では、ネジ部材５の異型軸部５４の断面形状がほぼ四角形状となっており（図５（ａ）参照）、図３等に示すように、異型孔部３３の断面形状もこれと同様の四角形状となっている。
【００１５】
脚部１１の内側面（本実施形態では、脚部１１を構成する本体側脚部３１及び外装側脚部４１のうち、内側に配置される本体側脚部３１の内側面）には、後述するナット側係止部６３と係止される脚部側係止部３４が設けられている。
脚部側係止部３４は、例えば、ナット側係止部６３と嵌り合う形状の凹部又は凸部である。本実施形態では、脚部側係止部３４は凹部であり、ナット側係止部６３は凸部となっている。
なお、脚部側係止部３４及びナット側係止部６３は、互いに嵌り合って摩擦を生じるようなものであればよく、凹凸部に限定されない。例えば、脚部側係止部３４及びナット側係止部６３をざらつきのある面で構成してもよいし、ゴム等の滑りにくい材料を貼り付ける等してもよい。
【００１６】
また、バンド２に設けられているケース取付部２１は、ケース１０への取り付け側端部に設けられ、ケース１０の２つの脚部１１の間に配置される。
バンド２のケース取付部２１には、バンド取付孔１２と連通可能なバンド側孔２２が形成されている。
【００１７】
図４は、ネジ部材５及びナット部材６を、その取り付け方向とともに示した側面図である。また、図５（ａ）は、図４における矢視ａ方向からネジ部材５を見た場合の平面図であり、図５（ｂ）は、図４における矢視ｂ方向からネジ部材５ナット部材６を見た場合の平面図である。
【００１８】
図４及び図５（ａ）に示すように、本実施形態において、ネジ部材５は、軸部５１及びネジ頭５２を備えている。
なお、図１等において、ネジ頭５２の端面に溝が設けられているものを例示しているが、ネジ頭５２に溝が設けられることは特に必要なく、例えば、ネジ頭５２に加飾用の飾り石等が嵌め込まれていてもよい。また、ネジ頭５２の端面を平板状とし、ロゴマーク等を印刷、刻印等してもよい。
軸部５１は、バンド取付孔１２の外側からバンド２のケース取付部２１に向かって挿入される棒状の部分である。軸部５１の一部には、雄ネジ部５３が形成されている。
また、ネジ部材５の軸部５１のうち雄ネジ部５３よりもネジ頭５２寄りの少なくとも一部は、上述の異型孔部３３の断面形状（本実施形態では四角形状）と同様の断面形状（本実施形態では四角形状）に形成された異型軸部５４となっている。
【００１９】
なお、各ネジ部材５は、ケース１０の２つの脚部１１のバンド取付孔１２からバンド２のバンド側孔２２内に向かってそれぞれ軸部５１を挿通させた場合に、その先端部がバンド２のケース取付部２１内の中央部近傍まで達するとともに、軸部５１の先端部同士がバンド２のケース取付部２１内においてぶつかり合わない長さとなっている。
ネジ部材５の長さや径の太さ等は特に限定されないが、本実施形態において、ネジ部材５は、バンド２をケース１０のバンド取付部１３に取り付けるバンド取付軸部を構成するものである。このため、ネジ部材５は、バンド２をケース１０のバンド取付部１３に取り付けるのに十分な強度を確保できる程度の長さ及び太さに構成されることが好ましい。
【００２０】
また、図４及び図５（ｂ）に示すように、本実施形態において、ナット部材６は、内部の少なくとも一部にネジ部材５の雄ネジ部５３と嵌り合う雌ネジ部６１が形成され、外周面の少なくとも一部が外部に露出した操作部６２となっている。
なお、図１では、雌ネジ部６１がナット部材６の厚み方向の全体に亘って設けられている場合を例示しているが、雌ネジ部６１が設けられる範囲は、これに限定されない。
【００２１】
本実施形態では、ナット部材６をネジ部材５の軸周りに回転させることにより、ネジ部材５の雄ネジ部５３と雌ネジ部６１とが噛み合い、ネジ部材５をバンド２の幅方向の中央部に引き込んだり、ネジ部材５をバンド２の幅方向の端部側に押し出したりすることができる。
すなわち、上述のように、バンド取付孔１２の内部には、異型孔部３３が設けられており、ネジ部材５には、この異型孔部３３の断面形状と同様の断面形状を有し異型孔部３３と嵌り合う異型軸部５４が設けられている。このため、ネジ部材５の雄ネジ部５３と雌ネジ部６１とが噛み合った状態でナット部材６をネジ部材５の軸周りに回転させてもネジ部材５自体は回転せず、バンド取付孔１２の内部を軸中心に沿って摺動する。これにより、ネジ部材５をバンド２の幅方向に移動させることができる。
【００２２】
操作部６２は、ナット部材６を回転操作させる際にユーザが指で回す部分であり、図４及び図５（ｂ）に示すように、本実施形態では、ナット部材６の外周面に設けられた凹凸部が操作部６２となっている。なお、操作部６２の構成は、ここに例示したものに限定されない。操作部６２は、ある程度指が引っ掛かるようなものであればよく、例えば、ナット部材６の外周面にざらつき加工を施してもよいし、何も加工の施されていないナット部材６の外周面にゴム等の滑り止めを貼着することで操作部６２を構成してもよい。
なお、ナット部材６を回転操作する方向は、ネジ部材５の雄ネジ部５３の向きによる。このため、ネジ部材５を締める場合、緩める場合に、いずれの回転方向にナット部材６を回転操作すればよいかがユーザに容易に分かるように、例えば、ナット部材６の操作部６２に矢印等で回転方向等を示してもよい。
また、２つのネジ部材５の雄ネジ部５３を逆向きに形成しておけば、ネジ部材５を締める場合、緩める場合における２つのナット部材６の回転方向を同じ方向に揃えることができ、操作し易さが向上する。
【００２３】
また、ナット部材６の側端面であって脚部１１と対向する面には、上述の脚部側係止部３４と嵌り合うナット側係止部６３が設けられている。
ナット側係止部６３は、例えば、脚部側係止部３４と嵌り合う形状の凹部又は凸部である。本実施形態では、上述のように、脚部側係止部３４は凹部であり、ナット側係止部６３は凸部となっている。ナット部材６をネジ部材５の軸周りに回転させることにより、ナット部材６のナット側係止部６３が脚部１１の脚部側係止部３４の凹部を乗り越える際に「カチカチ」というクリック感が得られるようになっている。
【００２４】
次に、本実施形態におけるバンドの取付構造及び時計の作用について説明する。
なお、図３から図５では、バンド取付部１３の細部を図示する都合上、外装部材４の図示を省略している。また、図４及び図５では、バンド２の図示を省略している。
【００２５】
時計１００を組み立てる際には、まず、ケース本体３の上に外装部材４を被せてケース１０を一体化させる。なお、図２及び図３では図示の都合上、外装部材４が一体化されていない状態のケース本体３を図示している。
ケース１０にバンド２を取り付ける際には、図３に示すように、バンド２のケース取付部２１を両側から挟むようにケース取付部２１の横にそれぞれナット部材６を配置した状態で、ケース取付部２１及び一対のナット部材６をケース１０の脚部１１（なお、図３等では、脚部１１を構成する本体側脚部３１のみを図示している。）の間に嵌め込む。
さらに、左右の脚部１１のバンド取付孔１２（なお、図３等では、バンド取付孔１２を構成する本体側取付孔３２のみを図示している。）に、それぞれ外側から中央部（すなわち、バンドの幅方向における外側から中央部）に向かってネジ部材５を挿通させる。このとき、脚部１１（図３等において本体側脚部３１）のバンド取付孔１２（図３等において本体側取付孔３２）内に設けられている異型孔部３３の形状にネジ部材５の異型軸部５４の形状が合うようにネジ部材５の向きを調整してバンド取付孔１２内に挿入する。
ネジ部材５の雄ネジ部５３がナット部材６に設けられている雌ネジ部６１に突き当たるところまでネジ部材５を挿入すると、ユーザはナット部材６を所定方向に回転させる。
このとき、ナット部材６を回転させる度にナット部材６のナット側係止部６３が脚部１１の脚部側係止部３４の凹部を乗り越え、「カチカチ」というクリック感が得られる。
ナット部材６を回転させていくことにより、ネジ部材５の雄ネジ部５３とナット部材６の雌ネジ部６１とが噛み合い、ナット部材６の回転に応じて２つのネジ部材５がそれぞれバンド２の幅方向の両側から中央部に向かって引き込まれて、ネジ部材５の軸部５１の先端側がバンド２のケース取付部２１内に突出した状態となる。
これにより、ネジ部材５がバンド２をケース１０のバンド取付部１３（図１参照）に取り付けるバンド取付軸部として機能し、バンド２がケース１０に取り付けられる。
なお、左右いずれかのネジ部材５が緩んでいる場合には、当該ネジ部材５を引き込むナット部材６のみを、ネジ部材５を引き込む方向に回転させる。これにより、ネジ部材５の緩みを個別に解消することができる。
【００２６】
ケース１０からバンド２を取り外す際には、ナット部材６を逆方向に回転させていくことにより、ネジ部材５の雄ネジ部５３とナット部材６の雌ネジ部６１とが噛み合い、ナット部材６の回転に応じて２つのネジ部材５がそれぞれバンド２の中央部から幅方向の両端側に向かって押し出され、ネジ部材５のネジ頭５２の側がケース１０の脚部１１から突出した状態となる。
そして、ネジ部材５の軸部５１の先端がバンド２のケース取付部２１内から抜ける位置までネジ部材５が移動すると、バンド２をケース１０から取り外すことのできる状態となる。
【００２７】
以上のように、本実施形態によれば、ケース１０のバンド取付孔１２の内部に断面形状が多角形状である異型孔部３３を設け、この異型孔部３３の断面形状と同様の断面形状に形成された異型軸部５４及び雄ネジ部５３が形成されたネジ部材５をバンド取付孔１２に挿通させ、ネジ部材５の雄ネジ部５３と嵌り合う雌ネジ部６１が形成されたナット部材６をネジ部材５の軸周りに回転させることにより、ネジ部材５をバンド２の幅方向に移動させて、ネジ部材５がバンド２のバンド側孔２２内に挿入されたバンド固定状態とネジ部材５がバンド２のバンド側孔２２内に挿入されていないバンド取外可能状態とを取り得るようになっている。
これにより、特別な工具等を使用したり、難しい操作を行うことなく、ナット部材６を回転操作するだけで簡易にバンド２の着脱を行うことができる。
また、ナット部材６のナット側係止部６３と脚部１１の脚部側係止部３４とが嵌り合うことにより、ナット部材６が緩みにくくなっている。
また、ナット部材６のナット側係止部６３と脚部１１の脚部側係止部３４とが嵌り合うことでナット部材６を回転操作した際に「カチカチ」という適度なクリック感を得ることができる。これにより、回転操作を行うユーザにとってナット部材６を回転させている感覚が直感的に伝わり、操作が分かりやすい。
また、本実施形態では、ネジ部材５によってバンド２をバンド取付部１３に取り付けるバンド取付軸部が構成されている。このため、バネ棒等を用いてバンド２をケース１０に固定する場合よりも構成が簡易であり、部品点数も少なく抑えることができる。
【００２８】
なお、ナット部材６の構成は、ここに例示したものに限定されない。
例えば、図６に示すように、バンド２の側部に配置され外周面に操作部６２が設けられるフランジ部６０ａと、バンド２のバンド側孔２２内部に挿入されるナット側挿入部６０ｂとを有していてもよい。
ナット部材６をこのような構成とした場合には、予めナット側挿入部６０ｂをバンド側孔２２内に挿入した状態でバンド２及び２つのナット部材６を脚部１１の間に嵌め込むことができる。このため、バンド２及び２つのナット部材６がばらばらにならず、バンド２の取り付け作業を行いやすくなる。
【００２９】
［第２の実施形態］
次に、図７及び図８を参照しつつ、本発明に係るバンドの取付構造及び時計の第２の実施形態について説明する。なお、本実施形態は、ネジ部材及びナット部材の構成等が第１の実施形態と異なるものであるため、以下においては、特に第１の実施形態と異なる点について説明する。
【００３０】
図７は、本実施形態におけるバンドの取付構造が適用された時計の要部断面図であり、図８は、ネジ部材及びナット部材を、その取り付け方向とともに示した側面図である。
図７及び図８に示すように、本実施形態のネジ部材５は、軸部５１の先端部にのみ雄ネジ部５３が設けられ、この雄ネジ部５３よりもネジ頭５２寄りの部分に異型軸部５４が設けられている。バンド取付状態において、ネジ部材５の雄ネジ部５３はナット部材６の雌ネジ部６１に挿入される。
また、ナット部材６は、バンド２の側部に配置され外周面に操作部６２が設けられるフランジ部６５と、バンド２のバンド側孔２２内部に挿入されるナット側挿入部６４とを有している。
バンド側孔２２内には、孔の内径が大きく、ナット側挿入部６４を受け入れることの可能なナット受入部２４が形成されている。
図７に示すように、ナット部材６は、ナット側挿入部６４がナット受入部２４内に挿入された状態において、バンド２の側部にフランジ部６５が配置された状態となる。
【００３１】
本実施形態では、ナット部材６と、このナット部材６に形成されている雌ネジ部６１に軸部の先端側が挿入されているネジ部材５とによって、バンド２をバンド取付部１３に取り付けるバンド取付軸部が構成される。
【００３２】
なお、その他の構成は、第１の実施形態と同様であることから、同一部材には同一の符号を付して、その説明を省略する。
【００３３】
次に、本実施形態におけるバンドの取付構造及び時計の作用について説明する。
ケース１０にバンド２を取り付ける際には、バンド２のケース取付部２１に形成されているナット受入部２４内にケース取付部２１の左右両側からそれぞれナット部材６のナット側挿入部６４を挿入する。そして、バンド２の両側部にそれぞれナット部材６のフランジ部６５が配置された状態で、バンド２及び２つのナット部材６を脚部１１の間に嵌め込む。
さらに、左右の脚部１１のバンド取付孔１２に、それぞれ外側から中央部（すなわち、バンドの幅方向における外側から中央部）に向かってネジ部材５を挿通させる。このとき、脚部１１のバンド取付孔１２内に設けられている異型孔部３３の形状にネジ部材５の異型軸部５４の形状が合うようにネジ部材５の向きを調整してバンド取付孔１２内に挿入する。
ネジ部材５の雄ネジ部５３がナット部材６に設けられている雌ネジ部６１に突き当たるところまでネジ部材５を挿入すると、ユーザはナット部材６を所定方向に回転させる。
ナット部材６を回転させていくことにより、ネジ部材５の雄ネジ部５３とナット部材６の雌ネジ部６１とが噛み合い、ナット部材６の回転に応じて２つのネジ部材５がそれぞれバンド２の幅方向の両側から中央部に向かって引き込まれて、ネジ部材５の軸部５１の先端側がナット部材６の内部に固定される。
これにより、ネジ部材５とナット部材６とが一体化して、バンド２をケース１０のバンド取付部１３に取り付けるバンド取付軸部として機能し、バンド２がケース１０に取り付けられる。
【００３４】
ケース１０からバンド２を取り外す際には、ナット部材６を逆方向に回転させていくことにより、ネジ部材５の雄ネジ部５３とナット部材６の雌ネジ部６１とが噛み合い、ナット部材６の回転に応じて２つのネジ部材５がそれぞれバンド２の中央部から幅方向の両端側に向かって押し出され、ネジ部材５のネジ頭５２の側がケース１０の脚部１１から突出した状態となる。
そして、ネジ部材５の軸部５１の先端がナット部材６の内部から抜ける位置までネジ部材５が移動すると、バンド２をケース１０から取り外すことのできる状態となる。
【００３５】
なお、その他の点については、第１の実施形態と同様であることから、その説明を省略する。
【００３６】
以上のように、本実施形態によれば、第１の実施形態と同様の効果を得られる他、以下の効果を得ることができる。
すなわち、本実施形態では、予めナット側挿入部６４をバンド側孔２２内のナット受入部２４内に挿入した状態でバンド２及び２つのナット部材６を脚部１１の間に嵌め込むことができる。このため、バンド２及び２つのナット部材６がばらばらにならず、バンド２の取り付け作業を行いやすくなる。
また、ネジ部材５とナット部材６とを一体化させたものを、バンド２をケース１０のバンド取付部１３に取り付けるバンド取付軸部として機能させるため、ネジ部材５のみ又はナット部材６のみをバンド取付軸部として機能させる場合よりも、強度を確保することができる。
【００３７】
［第３の実施形態］
次に、図９から図１２（ａ）〜図１２（ｃ）を参照しつつ、本発明に係るバンドの取付構造及び時計の第３の実施形態について説明する。なお、本実施形態は、ネジ部材及びナット部材の構成等が第１の実施形態及び第２の実施形態と異なるものであるため、以下においては、特に第１の実施形態及び第２の実施形態と異なる点について説明する。
【００３８】
図９は、本実施形態におけるバンドの取付構造が適用された時計の要部断面図であり、図１０は、バンドの取付構造を説明するための分解斜視図であり、図１１は、ネジ部材及びナット部材を、その取り付け方向とともに示した側面図である。また、図１２（ａ）は、図１１のａ-ａ線に沿うネジ部材５の断面図であり、図１２（ｂ）は、図１１の矢視ｂ方向から見たナット部材６ａの平面図であり、図１２（ｃ）は、図１１の矢視ｃ方向から見たナット部材６ｂの平面図である。
【００３９】
図９から図１２（ａ）〜図１２（ｃ）に示すように、本実施形態のネジ部材５は、軸部５１の先端部にのみ雄ネジ部５３が設けられ、この雄ネジ部５３よりもネジ頭５２寄りの部分に異型軸部５４が設けられている。ネジ部材５の雄ネジ部５３は、ナット部材８の雌ネジ部８１に挿入されている。
本実施形態において、２つのネジ部材５の雄ネジ部５３は、ネジの向きが互いに逆向きに形成されている。
【００４０】
また、ナット部材６ａ，６ｂは、バンド２の側部に配置され操作部６２が設けられるフランジ部６５と、バンド２のバンド側孔２２内部に挿入されるナット側挿入部６４とを有している。
バンド側孔２２内には、孔の内径が大きく、ナット側挿入部６４を受け入れることの可能なナット受入部２４が形成されている。
図７に示すように、ナット部材６ａ，６ｂは、ナット側挿入部６４がナット受入部２４内に挿入された状態において、バンド２の側部にフランジ部６５が配置された状態となる。
本実施形態では、一対のナット部材６ａ，６ｂのうちの一方側（本実施形態では、ナット部材６ａ）には、ナット側挿入部６４よりも先端側に係合突起６６が設けられている。また、ナット部材６ａ，６ｂのうちの他方側（本実施形態では、ナット部材６ｂ）には、ナット部材６ａの係合突起６６が嵌め込まれる係合凹部６７が設けられている。
【００４１】
ナット部材６ａの係合突起６６は、バンド２のバンド側孔２２内部においてバンド２の幅方向における逆側から挿入されたナット部材６ｂの係合凹部６７に係合される。すなわち、本実施形態では、ナット部材６ａの係合突起６６とナット部材６ｂの係合凹部６７とにより、互いに嵌り合う嵌合部が構成されており、この嵌合部において、２つのナット部材６ａ，６ｂは、一体化され、一つながりのナット部材となる。
本実施形態では、この一体化されたナット部材６ａ，６ｂと、このナット部材６ａ，６ｂに形成されている雌ネジ部６１に軸部の先端側が挿入されているネジ部材５とによって、バンド２をバンド取付部１３に取り付けるバンド取付軸部が構成される。
【００４２】
なお、その他の構成は、第１の実施形態及び第２の実施形態と同様であることから、同一部材には同一の符号を付して、その説明を省略する。
【００４３】
次に、本実施形態におけるバンドの取付構造及び時計の作用について説明する。
ケース１０にバンド２を取り付ける際には、バンド２のケース取付部２１に形成されているナット受入部２４内にケース取付部２１の左右両側からそれぞれナット部材６ａ，６ｂのナット側挿入部６４をそれぞれ挿入する。そして、バンド２のバンド側孔２２内部において、ナット部材６ａの係合突起６６とナット部材６ｂの係合凹部６７とを嵌め合わせ、２つのナット部材６ａ，６ｂを一体化させる。この状態において、バンド２の両側部にはそれぞれナット部材６ａ，６ｂのフランジ部６５が配置されており、２つのナット部材６ａ，６ｂ及びそのフランジ部６５に挟まれたバンド２を脚部１１（なお、図１０では、脚部１１を構成する本体側脚部３１のみを図示している。）の間に嵌め込む。
さらに、左右の脚部１１のバンド取付孔１２（なお、図１０では、バンド取付孔１２を構成する本体側取付孔３２のみを図示している。）に、それぞれ外側から中央部（すなわち、バンド２の幅方向における外側から中央部）に向かってネジ部材５を挿通させる。このとき、脚部１１のバンド取付孔１２内に設けられている異型孔部３３の形状にネジ部材５の異型軸部５４の形状が合うようにネジ部材５の向きを調整してバンド取付孔１２内に挿入する。
ネジ部材５の雄ネジ部５３がナット部材６ａ，６ｂに設けられている雌ネジ部６１に突き当たるところまでネジ部材５を挿入すると、ユーザはナット部材６ａ，６ｂを所定の同一方向に回転させる。
ナット部材６ａ，６ｂを同じ方向に回転させていくことにより、ネジ部材５の雄ネジ部５３とナット部材６の雌ネジ部６１とが噛み合い、ナット部材６ａ，６ｂの回転に応じて２つのネジ部材５がそれぞれバンド２の幅方向の両側から中央部に向かって引き込まれて、ネジ部材５の軸部５１の先端側がナット部材６ａ，６ｂの内部に固定される。
これにより、ネジ部材５とナット部材６ａ，６ｂとが一体化して、バンド２をケース１０のバンド取付部１３に取り付けるバンド取付軸部として機能し、バンド２がケース１０に取り付けられる。
なお、ナット部材６ａの係合突起６６とナット部材６ｂの係合凹部６７との嵌合に多少の遊びを持たせておく場合には、左右いずれかのネジ部材５が緩んでいる場合に、当該ネジ部材５の側に配置されているナット部材６（ナット部材６ａ又は６ｂ）のみを、ネジ部材５を引き込む方向に回転させることで微調整し、ネジ部材５の緩みを個別に解消することができる。
【００４４】
ケース１０からバンド２を取り外す際には、ナット部材６ａ，６ｂをバンド取付時とは逆向きの同一方向に回転させていくことにより、ネジ部材５の雄ネジ部５３とナット部材６ａ，６ｂの雌ネジ部６１とが噛み合い、ナット部材６ａ，６ｂの回転に応じて２つのネジ部材５がそれぞれバンド２の中央部から幅方向の両端側に向かって押し出され、ネジ部材５のネジ頭５２の側がケース１０の脚部１１から突出した状態となる。
そして、ネジ部材５の軸部５１の先端がナット部材６ａ，６ｂの内部から抜ける位置までネジ部材５が移動すると、バンド２をケース１０から取り外すことのできる状態となる。
【００４５】
なお、その他の点については、第１の実施形態及び第２の実施形態と同様であることから、その説明を省略する。
【００４６】
以上のように、本実施形態によれば、第１の実施形態及び第２の実施形態と同様の効果を得られる他、以下の効果を得ることができる。
すなわち、本実施形態では、予め２つのナット部材６ａ，６ｂのナット側挿入部６４をバンド側孔２２内のナット受入部２４内に挿入するとともに、ナット部材６ａの係合突起６６とナット部材６ｂの係合凹部６７とを嵌め合わせ、２つのナット部材６ａ，６ｂを一体化させた状態でバンド２及び２つのナット部材６ａ，６ｂを脚部１１の間に嵌め込むことができる。このため、脚部１１の間に嵌め込む際にバンド２からナット部材６ａ，６ｂが抜け落ちてばらばらになることを防止でき、バンド２の取り付け作業をより確実かつ迅速に行うことができる。
また、ネジ部材５とナット部材６ａ，６ｂとを一体化させ、２つのナット部材６ａ，６ｂについても互いに係合させたものを、バンド２をケース１０のバンド取付部１３に取り付けるバンド取付軸部として機能させる。このため、ネジ部材５のみ又はナット部材６ａ，６ｂのみをバンド取付軸部として機能させる場合よりも、強度を確保することができる。
【００４７】
［第４の実施形態］
次に、図１３から図１６（ａ）及び図１６（ｂ）を参照しつつ、本発明に係るバンドの取付構造及び時計の第４の実施形態について説明する。なお、本実施形態は、ネジ部材及びナット部材の構成等が第１の実施形態から第３の実施形態と異なるものであるため、以下においては、特に第１の実施形態から第３の実施形態と異なる点について説明する。
【００４８】
図１３は、本実施形態におけるバンドの取付構造が適用された時計の要部断面図であり、図１４は、バンドの取付構造を説明するための分解斜視図であり、図１５は、ネジ部材及びナット部材を、その取り付け方向とともに示した側面図である。また、図１６（ａ）は、図１５のａ-ａ線に沿うネジ部材５の断面図であり、図１６（ｂ）は、図１５の矢視ｂ方向から見たナット部材の平面図である。
【００４９】
図１３及び図１４に示すように、本実施形態のバンド２のケース取付部２１は、バンド２の幅方向のほぼ中央部に切り欠き部２６を有し、この切り欠き部２６の両側が、ナット部材８を支持するナット支持部２７となっている。
このナット支持部２７には、バンド側孔２２が形成されている。
また、ナット支持部２７におけるナット部材８の側端面と対向する面には、後述するナット部材８のナット側係止部８３と嵌り合うバンド側係止部２８が設けられている。
バンド側係止部２８は、例えば、ナット側係止部８３と嵌り合う形状の凹部又は凸部である。本実施形態では、バンド側係止部２８が凹部であり、ナット側係止部８３が凸部となっており、ナット部材８をネジ部材５の軸周りに回転させることにより、ナット部材８のナット側係止部８３がバンド２のバンド側係止部２８の凹部を乗り越える際に「カチカチ」というクリック感が得られるようになっている。なお、バンド側係止部２８及びナット側係止部８３の形状は凹部又は凸部に限定されない。また、バンド側係止部２８が凸部であり、ナット側係止部８３が凹部となっていてもよい。
【００５０】
図１３から図１６（ａ）及び図１６（ｂ）に示すように、本実施形態のネジ部材５は、一対の脚部１１に対応して２つ設けられており、ネジ部材５の軸部５１の先端部には雄ネジ部５３が設けられ、この雄ネジ部５３よりもネジ頭５２寄りの部分に異型軸部５４が設けられている。２つのネジ部材５の雄ネジ部５３は、ナット部材８の雌ネジ部８１に挿入されている。
本実施形態において、２つのネジ部材５の雄ネジ部５３は、ネジの向きが互いに逆向きに形成されている。
【００５１】
また、ナット部材８は、バンド２のケース取付部２１に形成されている切り欠き部２６に嵌め込み可能な形状となっており、この切り欠き部２６に嵌め込まれた状態において、ナット部材８の両側端面がナット支持部２７の端面に当接するようになっている。
ナット部材８の両側端面には、それぞれナット側係止部８３が設けられている。
ナット側係止部８３は、ナット支持部２７の端面に形成されているバンド側係止部２８と嵌り合う形状の凹部又は凸部である。本実施形態では、上述のように、バンド側係止部２８が凹部であり、ナット側係止部８３が凸部となっている。
【００５２】
本実施形態では、ナット部材８と、このナット部材８に形成されている雌ネジ部８１に軸部５１の先端側が挿入されているネジ部材５とによって、バンド２をバンド取付部１３に取り付けるバンド取付軸部が構成される。
【００５３】
なお、その他の構成は、第１の実施形態から第３の実施形態と同様であることから、同一部材には同一の符号を付して、その説明を省略する。
【００５４】
次に、本実施形態におけるバンドの取付構造及び時計の作用について説明する。
ケース１０にバンド２を取り付ける際には、バンド２のケース取付部２１に形成されている切り欠き部２６内にナット部材８を嵌め込む。
そして、バンド２のナット支持部２７にナット部材８が支持された状態で、バンド２及びナット部材８を脚部１１の間に嵌め込む。
【００５５】
さらに、左右の脚部１１（なお、図１４では、脚部１１を構成する本体側脚部３１のみを図示している。）のバンド取付孔１２（なお、図１４では、バンド取付孔１２を構成する本体側取付孔３２のみを図示している。）に、それぞれ外側から中央部（すなわち、バンドの幅方向における外側から中央部）に向かってネジ部材５を挿通させる。このとき、脚部１１のバンド取付孔１２内に設けられている異型孔部３３の形状にネジ部材５の異型軸部５４の形状が合うようにネジ部材５の向きを調整してバンド取付孔１２内に挿入する。
ネジ部材５の雄ネジ部５３がナット部材８に設けられている雌ネジ部８１に突き当たるところまでネジ部材５を挿入すると、ユーザはナット部材８を所定方向に回転させる。
ナット部材８を回転させていくことにより、ネジ部材５の雄ネジ部５３とナット部材８の雌ネジ部８１とが噛み合い、ナット部材８の回転に応じて２つのネジ部材５がそれぞれバンド２の幅方向の両側から中央部に向かって引き込まれて、ネジ部材５の軸部５１の先端側がナット部材８の内部に固定される。
これにより、ネジ部材５とナット部材８とが一体化して、バンド２をケース１０のバンド取付部１３に取り付けるバンド取付軸部として機能し、バンド２がケース１０に取り付けられる。
【００５６】
ケース１０からバンド２を取り外す際には、ナット部材８を逆方向に回転させていくことにより、ネジ部材５の雄ネジ部５３とナット部材８の雌ネジ部８１とが噛み合い、ナット部材８の回転に応じて２つのネジ部材５がそれぞれバンド２の中央部から幅方向の両端側に向かって押し出され、ネジ部材５のネジ頭５２の側がケース１０の脚部１１から突出した状態となる。
そして、ネジ部材５の軸部５１の先端がナット部材８の内部から抜ける位置までネジ部材５が移動すると、バンド２をケース１０から取り外すことのできる状態となる。
【００５７】
なお、その他の点については、第１の実施形態から第３の実施形態と同様であることから、その説明を省略する。
【００５８】
以上のように、本実施形態によれば、第１の実施形態から第３の実施形態と同様の効果を得られる他、以下の効果を得ることができる。
すなわち、本実施形態では、２つのネジ部材５の雄ネジ部５３に、互いに逆向きのネジを形成し、２つのネジ部材５を１つのナット部材８の両側から挿入して、このナット部材８を回転させることで、２つのネジ部材５をともに移動させることができるようになっている。
このため、ナット部材８が１つで済み、部品点数を少なくすることができる。
また、１つのナット部材８を回転操作するだけでバンド２の着脱を行うことができるため、着脱操作が容易である。
【００５９】
なお、以上本発明の実施形態について説明したが、本発明は、かかる実施形態に限定されず、その要旨を逸脱しない範囲で、種々変形が可能であることは言うまでもない。
【００６０】
例えば、上記各実施形態では、ナット部材８の操作部６２が、時計における視認側に露出し、視認側から回転操作を行う場合を例示したが、操作部６２はその一部が露出して回転操作可能に構成されていればよく、ここに例示した構成に限定されない。
例えば、ナット部材８の操作部６２の視認側を外装部材４で覆い、操作部６２を時計における裏面側のみに露出させて、時計の裏面側から操作部６２の回転操作を行うように構成してもよい。
この場合には、操作部６２が視認側に露出しないため、デザイン上の制約なく、本発明のバンドの取付構造を適用することができる。
【００６１】
また、バンド２をバンド取付部１３に取り付けるバンド取付軸部は、ネジ部材５及びナット部材６の両方又はいずれか一方によって構成されていればよい。例えば、ネジ部材５の軸部５１の長さを短くし、バンド取付軸部を、ナット部材６のみで構成してもよい。
【００６２】
また、上記各実施形態では、時計１００が腕時計である場合を例示したが、時計は、腕時計でなく、懐中時計や、キーホルダ等で鞄等に着脱可能に構成された時計等でもよい。
【００６３】
また、上記各実施形態では、バンドの取付構造が時計に適用された場合を例示したが、バンドの取付構造は時計に適用される場合に限定されない。
例えば、歩数計や心拍数計、高度計、気圧計等のケースにバンドを取り付ける場合に、本発明のバンドの取付構造を適用してもよい。
【００６４】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ケースにバンドを取り付けるバンドの取付構造であって、
対向する２つの脚部を有し、前記脚部の対向する面にそれぞれバンド取付孔が貫通して設けられたバンド取付部と、
前記バンドにおける前記ケースへの取り付け側端部に設けられ、前記２つの脚部の間に配置されるとともに、前記バンド取付孔と連通可能なバンド側孔が形成されたケース取付部と、
前記バンド取付孔の外側から前記バンドのケース取付部に向かって軸部が挿入され当該軸部の一部に雄ネジ部が形成されたネジ部材と、
内部の少なくとも一部に前記ネジ部材の雄ネジ部と嵌り合う雌ネジ部が形成され、外周面の少なくとも一部が外部に露出した操作部となっているナット部材と、
を備え、
前記バンド取付孔の内部の少なくとも一部は断面形状が多角形状である異型孔部となっており、前記ネジ部材の軸部のうち前記雄ネジ部よりもネジ頭寄りの少なくとも一部は前記異型孔部の断面形状と同様の断面形状に形成された異型軸部となっており、
前記ネジ部材及び前記ナット部材の両方又はいずれか一方によって前記バンドを前記バンド取付部に取り付けるバンド取付軸部が構成されていることを特徴とするバンドの取付構造。
＜請求項２＞
前記ナット部材の側端面には、ナット側係止部が設けられ、
前記脚部の内側面には、前記ナット側係止部と係止される脚部側係止部が設けられていることを特徴とする請求項１に記載のバンドの取付構造。
＜請求項３＞
前記ナット側係止部は凹部又は凸部であり、
脚部側係止部は、前記ナット側係止部と嵌り合う形状の凹部又は凸部であることを特徴とする請求項２に記載のバンドの取付構造。
＜請求項４＞
前記ナット部材は、前記バンドの側部に配置され前記操作部が設けられるフランジ部と、前記バンドの前記バンド側孔内部に挿入されるナット側挿入部と、を備えていることを特徴とする請求項１から請求項３のいずれか一項に記載のバンドの取付構造。
＜請求項５＞
前記ネジ部材及び前記ナット部材は、前記２つの脚部に対応して一対ずつ設けられ、
一対の前記ネジ部材の前記雄ネジ部は、互いに逆向きのネジが形成され、
前記２つの脚部のそれぞれのバンド取付孔に挿入された一対の前記ナット部材の前記ナット側挿入部は、互いに嵌り合う嵌合部において一体化されていることを特徴とする請求項４に記載のバンドの取付構造。
＜請求項６＞
前記ネジ部材は、前記２つの脚部に対応して一対ずつ設けられ、
一対の前記ネジ部材の前記雄ネジ部は、互いに逆向きのネジが形成され、
前記ナット部材は、一対の前記ネジ部材の双方の前記雄ネジ部が挿入可能である位置に１つ設けられていることを特徴とする請求項１に記載のバンドの取付構造。
＜請求項７＞
請求項１から請求項６のいずれか一項に記載のバンドの取付構造と、
ケースと、
前記ケースに取り付けられるバンドと、
を備えることを特徴とする時計。
【符号の説明】
【００６５】
１      時計本体
２      バンド
５      ネジ部材
６      ナット部材
１０    ケース
１１    脚部
１２    バンド取付孔
１３    バンド取付部
２１    ケース取付部
２２    バンド側孔
３３    異型孔部
５１    軸部
５３    雄ネジ部
５４    異型軸部
６１    雌ネジ部
６２    操作部
６５    フランジ部
６６    係合突起
６７    係合凹部
１００  時計
【図１】
2015123274.tif 000003
【図２】
2015123274.tif 000004
【図３】
2015123274.tif 000005
【図４】
2015123274.tif 000006
【図５】
2015123274.tif 000007
【図６】
2015123274.tif 000008
【図７】
2015123274.tif 000009
【図８】
2015123274.tif 000010
【図９】
2015123274.tif 000011
【図１０】
2015123274.tif 000012
【図１１】
2015123274.tif 000013
【図１２】
2015123274.tif 000014
【図１３】
2015123274.tif 000015
【図１４】
2015123274.tif 000016
【図１５】
2015123274.tif 000017
【図１６】
2015123274.tif 000018